(57)【要約】【課題】衣服の出し入れ作業や内部での両手作業を容易に行うことができるようにする。【解決手段】スライドファスナー１５は略倒立Ｌ字状に配設され、窓部１４の上辺に沿って横方向に延在する横延在部１５１と、窓部１４の右縦辺に沿いかつ前面部６と右側面部９の対応する縁部に沿って底面部１０付近まで延在する縦延在部１５２とを連続的に有している。そして、スライドファスナー１５の一方のファスナーテープは、窓部１４の上辺と右縦辺とに縫着されるとともに前面部６の右縁部に縫着され、他方のファスナーテープは右側面部９の前縁部に縫着されている。【選択図】      図１
2004173883.tif 000002
【特許請求の範囲】
【請求項１】
各面部が可撓性を有する素材で形成され、上端から各々斜め下方に延在する前上面部及び後上面部と、これら前後各上面部の下端からコーナー部を介して下方に連なる前面部と後面部、これら前後各上面部と前面部と後面部の側縁に接合された左右側面部とを有し、前記前後各上面部の上端にハンガーロッドを内部に露呈させて該ハンガーロッドに係着する係着部が設けられるとともに、いずれかの面部に開閉手段が設けられ、衣服が掛けられる複数のハンガーのフックを前記内部に露呈しているハンガーに係止する吊り下げ衣服収納具において、
前記開閉手段を、横方向に延在する横延在部と、該横延在部に連なり下方へ延在する縦延在部とを有するスライドファスナーとしたことを特徴とする吊り下げ衣服収納具。
【請求項２】
前記縦延在部は、前記横延在部の端部に連なることを特徴とする請求項１記載の吊り下げ衣服収納具。
【請求項３】
前記横延在部は、前記前上面部の前記コーナー部よりも上部において該前上面部を横断するように設けられ、前記縦延在部は、前記前上面部及び前面部の縁部と前記左又は右側面部の縁部との接合部に沿って設けられたことを特徴とする請求項１記載の吊り下げ衣服収納具。
【請求項４】
前記いずれかの面部に内部が透視可能な窓部が設けられ、前記横延在部と縦延在部とを有するスライドファスナーは、当該面部であって前記窓部を回避して設けられたことを特徴とする請求項１記載の吊り下げ衣服収納具。
【請求項５】
前記前面部と後面部と左右側面部の下縁に接合された底面を更に有することを特徴とする請求項１から４にいずれか記載の吊り下げ衣服収納具。
【発明の詳細な説明】
【０００１】
【発明の属する技術分野】
本発明は、洋服ダンスやクローゼット等のハンガーロッドに係着して使用される吊り下げ衣服収納具に関する。
【０００２】
【従来の技術】
従来、この種吊り下げ衣服収納具として、図７に示すものが実用化されている。すなわち、この吊り下げ衣服収納具５１は、複数着（例えば５着）の衣服を収納可能であって、窓部を除く全体が不織布等の可撓性を有する素材で形成され、上端部から各々斜め下方に延在する前上面部５２と後上面部５３とを有している。この前後各上面部５２、５３の下端には、コーナー部５４、５５を介して略垂直下方に連なる前面部５６と後面部５７とが連設されている。これら前後各上面部５２、５３と前面部５６と後面部５７の側縁には、左側面部５８と右側面部５９の周縁が接合されており、前記前面部５６と後面部５７と左右側面部５８、５９の下縁には、底面部６０の周縁が接合されている。
【０００３】
前記前後各上面部５２、５３の上端には、係着部６１、６２が延設されている。一方の係着部６１の下面側と他方の係着部６２の上面側には、相互に係合する面ファスナー（図示せず）が配設されており、両係着部６１、６２と左右側面部５８、５９の上端部間には、孔６３が設けられている。
【０００４】
また、前面部５６には、透明の樹脂シートを張設してなる窓部６４が設けられている。さらに、前上面部５２と前面部５６の中央部には、該前上面部５２上端から前面部５６の下端までに亘り、窓部６４を縦断するスライドファスナー６５が設けられている。
【０００５】
係る構成において使用に際しては、図示したように、両係着部６１、６２により洋服ダンスやクローゼット等のハンガーロッドＲに係着して、吊り下げ衣服収納具５１をハンガーロッドＲに吊り下げ支持しておく。これにより、ハンガーロッドＲが孔６３に挿通された状態となり、この状態において、ハンガーロッドＲは吊り下げ衣服収納具５１の内部にて、係着部６１、６２の下部に露呈している。
【０００６】
そして、衣服を収納するに際しては、スライドファスナー６５のスライダーを操作して開口し、予めハンガーに掛けておいた衣服を内部に入れ、ハンガーのフックを内部に露呈しているハンガーロッドＲに係止する。しかる後に、スライドファスナー６５を閉じて、各々ハンガーに掛けられた複数着の衣服を保存し、あるいはスライドファスナー６５を開いてハンガーに掛けられている衣服をハンガーごと取り出す。
【０００７】
若しくは、スライドファスナー６５のスライダーを操作して開口し、予め複数本のハンガーの各フックを内部に露呈しているハンガーロッドＲに係止しておく。そして、適宜スライドファスナー６５のスライダーを操作して開閉し、ハンガーロッドＲに係止されているハンガーに衣服を掛けたり、ハンガーに掛けられている衣服を取り出したりして使用する。
【０００８】
【発明が解決しようとする課題】
しかしながら、係る従来の吊り下げ衣服収納具５１にあっては、前述のように、前上面部５２と前面部５６の中央部に、該前上面部５２上端から前面部５６の下端までに亘り、直線状にスライドファスナー６５が設けられている。したがって、このスライドファスナー６５を開けても、形成される開口部は直線的なスリット状となる。このため、このスリット状の開口部から衣服を出し入れするためには、一方の手でスリット状の開口部を拡開させて開口面積を大きくした状態を維持し、他方の手で衣服の出し入れ作業をしなければならず、衣服の出し入れ作業が困難となってしまう。
【０００９】
また、予めハンガーロッドＲに係止されている内部のハンガーに衣服を掛ける際、あるいは内部のハンガーに掛けられている衣服をハンガーから外す際には、両手を使用しなければならない場合がある。このように両手を使用する場合には、一方の手で開口部を拡開状態に維持することができないことから、開口部はスリット状に復帰してしまう。このため、狭幅なスリット状の開口部から手を差し込んで作業を行わなければならず、両手作業も困難となってしまう。
【００１０】
本発明は、このような従来の課題に鑑みてなされたものであり、衣服の出し入れ作業や内部での両手作業を容易に行うことができるようにした吊り下げ衣服収納具を提供することを目的とするものである。
【００１１】
【課題を解決するための手段】
前記課題を解決するために請求項１に係る発明にあっては、各面部が可撓性を有する素材で形成され、上端から各々斜め下方に延在する前上面部及び後上面部と、これら前後各上面部の下端からコーナー部を介して下方に連なる前面部と後面部、これら前後各上面部と前面部と後面部の側縁に接合された左右側面部とを有し、前記前後各上面部の上端にハンガーロッドを内部に露呈させて該ハンガーロッドに係着する係着部が設けられるとともに、いずれかの面部に開閉手段が設けられ、衣服が掛けられる複数のハンガーのフックを前記内部に露呈しているハンガーに係止する吊り下げ衣服収納具において、前記開閉手段を、横方向に延在する横延在部と、該横延在部に連なり下方へ延在する縦延在部とを有するスライドファスナーとしてある。
【００１２】
したがって、横方向に延在する横延在部と、該横延在部に連なり下方へ延在する縦延在部とを有するスライドファスナーの延在形状は、略倒立したＬ字状（以下、単に略倒立Ｌ字状という）、略Ｔ字状、略十字状等となる。よって、スライドファスナーを開くと、開いた瞬間においては、略倒立Ｌ字状、略Ｔ字状、略十字状等のスリット状の開口部が形成されることとなる。
【００１３】
しかし、スライドファスナーが設けられている面部は例えば不織布のような可撓性を有する素材で形成されていることから、横延在部と縦延在部とで囲まれた領域は自重によって適宜変形し、あるいは当該領域を変形させる操作を一度（ワンタッチ）行えば、当該変形状態を維持する。したがって、横延在部と縦延在部とで囲まれた領域は自重によって適宜自然に変形し、あるいはワンタッチで変形することにより、拡開して大きな開口面積からなる開口部を形成してこれを維持する。よって、開口部から衣服を出し入れする際に、一方の手で開口部を拡開させて開口面積を大きくする必要はなく、両方の手を使用して容易に衣服の出し入れ作業を行うことができる。
【００１４】
さらに、ハンガーロッドに係止して配置するタイプの防虫剤を使用する場合、防虫剤の配置及び取り替え作業も容易となる。
【００１５】
また、予めハンガーロッドに係止されている内部のハンガーに衣服を掛ける際、あるいは内部のハンガーに掛けられている衣服をハンガーから外す際には、両手を使用しなければならない場合がある。しかし、このような場合であっても、前述のように開口部はスリット状に復帰してしまうことなく、拡開して大きな開口面積からなる開口部を形成してこれを維持している。したがって、狭幅なスリット状の開口部から手を差し込んでの作業を強いられることもなく、大きな開口面積からなる開口部を介して両手作業を容易に行うことができる。
【００１６】
また、請求項２に係る発明にあっては、前記縦延在部は、前記横延在部の端部に連なる。したがって、この場合、横延在部と縦延在部とからなるスライドファスナーの延在形状は、略倒立Ｌ字状となる。そして、略倒立Ｌ字状の場合、横延在部と縦延在部とで囲まれて自重により変形しあるいはワンタッチで人為的に変形する領域が大きいことから、大きな開口面積を形成することができる。
【００１７】
また、請求項３に係る発明にあっては、前記横延在部は、前記前上面部の前記コーナー部よりも上部において該前上面部を横断するように設けられ、前記縦延在部は、前記前上面部及び前面部の縁部と前記左又は右側面部の縁部との接合部に沿って設けられている。したがって、スライドファスナーを開けると、前上面部のコーナー部よりも上部から下方に亘って開口部が形成される。
【００１８】
ところで、ハンガーロッドに係止された複数の各ハンガーに掛けられている衣服から、着用しようとする衣服を選択する場合、ハンガーに掛けられている衣服を少し回転させて衣服の向きを変え、衣服の正面から当該衣服を観察する所作を順次行う。このとき、ハンガーの先端部又はハンガーの先端部が内側に位置する上着の肩部等に手を掛けて操作すると、ハンガーに掛けられている衣服の向きを変え易いことから、一般的にはこのような操作を行う。
【００１９】
そして、本発明においては、前述のようにスライドファスナーを開けると、前上面部のコーナー部よりも上部から下方に亘って開口されることから、ハンガーロッドに係止されているハンガーの先端部が開口部に位置することとなる。したがって、ズボン等が掛けられているハンガーの先端部や、ハンガーの先端部が内側に位置する上着の肩部等に手を掛けて操作し、ハンガーに掛けられている衣服の向きを容易に変えることができる。これにより、ハンガーロッドに係止された複数の各ハンガーに掛けられている衣服から、着用しようとする衣服を選択する作業を容易に行うことができる。
【００２０】
また、ハンガーロッドに係止して配置するタイプの防虫剤を使用する場合、これが配置されているか否かを容易に確認することができる。さらに、ハンガーロッドに係止して配置するタイプの防虫剤であって使用終了時期を示すインジケータを有する防虫剤を使用した場合、インジケータを容易に確認することも容易となる。
【００２１】
また、請求項４に係る発明にあっては、前記いずれかの面部に内部が透視可能な窓部が設けられ、前記横延在部と縦延在部とを有するスライドファスナーは、当該面部であって前記窓部を回避して設けられている。したがって、スライドファスナーが窓部を縦断する等により、外部から内部を視認するための窓部からの視認性が低下することはない。
【００２２】
また、請求項５に係る発明にあっては、前記前面部と後面部と左右側面部の下縁に接合された底面とを有する。したがって、吊り下げ衣服収納具は袋状となり、内部への埃や繊維害虫等の侵入がより確実に防止される。
【００２３】
【発明の実施の形態】
以下、本発明の実施の形態を図に従って説明する。図１〜図４に示すように、この吊り下げ衣服収納具１は、複数着（例えば５着）の衣服を収納可能であって、窓部を除く全体が不織布等の可撓性を有する素材で形成され、上端部から各々斜め下方に延在する前上面部２と後上面部３とを有している。この前後各上面部２、３の下端には、コーナー部４、５を介して略垂直下方に連なる前面部６と後面部７とが連設されている。これら前後各上面部２、３と前面部６と後面部７の左側縁には、左側面部８の周縁が縫着されている。また、後上面部３と後面部７の左側縁及び前上面部２の右側縁であって下端よりもやや上部までには、右側面部９の周縁が縫着されている。さらに、前記前面部６と後面部７と左右側面部８、９の下縁には、底面部１０の周縁が縫着されている。
【００２４】
他方、前記前後各上面部２、３の上端には、係着部１１、１２が延設されている。一方の係着部１１は前上面部２から延設され、他方の係着部１２は後上面部３から延設されている。これら係着部１１、１２は、図５に示すように、不織布を二重にされ、一方の係着部１１の下面側と他方の係着部１２の上面側には、相互に係合する面ファスナー１６、１７が配設されてる。また、両係着部１１、１２と左右側面部８、９の上端部間には、孔１３が設けられている。
【００２５】
さらに、前記前上面部２の下端部と前面部６の上端部間には、前記コーナー部４を含み、前上面部２と前面部６とに亙る透明の可撓性を有する樹脂シートからなる窓部１４が形成されている。この窓部１４は矩形であって、コーナー部４よりも前上面部２側の上窓部１４１と、コーナー部４よりも前面部６側の下窓部１４２とを連続的に有している。そして、窓部１４の左縦辺は左側面部８と、底辺は右側面部６と縫着され、上辺と右縦辺とは、スライドファスナー１５の一方のファスナーテープに縫着されている。
【００２６】
このスライドファスナー１５は略倒立Ｌ字状に配設され、窓部１４の上辺に沿って横方向に延在する横延在部１５１と、窓部１４の右縦辺に沿いかつ前面部６と右側面部９の対応する縁部に沿って底面部１０付近まで延在する縦延在部１５２とを連続的に有している。そして、スライドファスナー１５の一方のファスナーテープは、前述のように窓部１４の上辺と右縦辺とに縫着されるとともに前面部６の右縁部に縫着され、他方のファスナーテープは前上面部２の下縁部及び右側面部９の前縁部に縫着されている。
【００２７】
以上の構成に係る本実施の形態において、使用に際しては図６に示すように、一方の係着部１２を洋服ダンスやクローゼット等のハンガーロッドＲの上面側に配置した後、この係着部１２に他方の係着部１１の端部を重ね合わせる。これにより、両面ファスナー１６、１７が相互に結合し、ハンガーロッドＲが孔１３に挿通された状態となって、衣服収納具１はハンガーロッドＲに吊り下げ支持される。この吊り下げ状態において、ハンガーロッドＲは吊り下げ衣服収納具１の内部にて、係着部１１、１２の下部に露呈している。
【００２８】
そして、衣服を収納するに際しては、スライドファスナー１５のスライダーを操作して開口し、予めハンガーに掛けておいた衣服を内部に入れ、ハンガーのフックを内部に露呈しているハンガーロッドＲに係止する。しかる後に、スライドファスナー１５を閉じて、各々ハンガーに掛けられた複数着の衣服を保存し、あるいはスライドファスナー１５を開いてハンガーに掛けられている衣服をハンガーごと取り出す。
【００２９】
若しくは、スライドファスナー１５のスライダーを操作して開口し、予め複数本のハンガーの各フックを内部に露呈しているハンガーロッドＲに係止しておく。そして、適宜スライドファスナー１５のスライダーを操作して開閉し、ハンガーロッドＲに係止されているハンガーに衣服を掛けたり、ハンガーに掛けられている衣服を取り出したりして使用する。
【００３０】
このとき、図６に示したように、スライドファスナー１５の横延在部１５１と縦延在部１５２とを開放すると、図示のようにこれら横延在部１５１と縦延在部１５２とで囲まれた領域は自重によって適宜変形し、あるいは当該領域を変形させるワンタッチ操作を行えば、図示した当該変形状態を維持する。したがって、横延在部１５１と縦延在部１５２とで囲まれた領域は自重によって適宜自然に変形し、あるいはワンタッチで変形することにより、拡開して大きな開口面積からなる開口部Ｏを形成してこれを維持する。よって、この開口部Ｏから衣服を出し入れする際に、一方の手で開口部Ｏを拡開させて開口面積を大きくする必要はなく、両方の手を使用して容易に衣服の出し入れ作業を行うことができる。
【００３１】
また、予めハンガーロッドＲに係止されている内部のハンガーに衣服を掛ける際、あるいは内部のハンガーに掛けられている衣服をハンガーから外す際には、両手を使用しなければならない場合がある。しかし、このような場合であっても、前述のように開口部はスリット状に復帰してしまうことなく、拡開して大きな開口面積からなる開口部Ｏを形成してこれを維持している。したがって、狭幅なスリット状の開口部から手を差し込んでの作業を強いられることもなく、大きな開口面積からなる開口部Ｏを介して両手作業を容易に行うことができる。
【００３２】
また、横延在部１５１と縦延在部１５２とからなるスライドファスナーの延在形状は略倒立Ｌ字状であり、略倒立Ｌ字状の場合、横延在部１５１と縦延在部１５２とで囲まれて自重により変形しあるいはワンタッチで変形する領域が大きいことから、大きな開口面積からなる開口部Ｏを形成することができる。
【００３３】
ところで、ハンガーロッドＲに係止された複数の各ハンガーに掛けられている衣服から、着用しようとする衣服を選択する場合、ハンガーに掛けられている衣服を少し回転させて衣服の向きを変え、衣服の正面から当該衣服を観察する所作を順次行う。このとき、ハンガーの先端部又はハンガーの先端部が内側に位置する上着の肩部等に手を掛けて操作すると、ハンガーに掛けられている衣服の向きを変え易いことから、一般的にはこのような操作を行う。
【００３４】
そして、前述のようにスライドファスナー１５を開けると、前上面部２のコーナー部４よりも上部から下方に亘って開口されることから、ハンガーロッドＲに係止されているハンガーの先端部が開口部Ｏに位置することとなる。したがって、ズボン等が掛けられているハンガーの先端部や、ハンガーの先端部が内側に位置する上着の肩部等に手を掛けて操作し、ハンガーに掛けられている衣服の向きを容易に変えることができる。これにより、ハンガーロッドに係止された複数の各ハンガーに掛けられている衣服から、着用しようとする衣服を選択する作業を容易に行うことができる。
【００３５】
しかも、本実施の形態においては、スライドファスナー１５が窓部１４を回避して配置されていることから、スライドファスナーが窓部１４を縦断する等により、窓部１４からの視認性が低下することなく、窓部１４の全域に亘って良好な視認性を確保することもできる。
【００３６】
なお、本実施の形態においては、底面部１０を設けて吊り下げ衣服収納具１内部への埃や繊維害虫等の侵入をより確実に防止するようにしたが、底面部１０を省略してもよい。
【００３７】
また、本実施の形態においては、スライドファスナー１５を前上面部２から左側面部８の右側面部９との接合部に沿ってに亘って設けるようにしたが、左側面部８との接合部に沿って設けるようにしてもよいし、他の面部に設けるようにしてもよい。さらに、本実施の形態にいおいては、スライドファスナー１５を略倒立Ｌ字状に延在させるようにしたが、略Ｔ字状、略十字状等としてもよい。
【００３８】
【発明の効果】
以上説明したように本発明によれば、スライドファスナーの横延在部と縦延在部とで囲まれた領域は自重によって適宜自然に変形し、あるいはワンタッチで人為的に変形することにより、拡開して大きな開口面積からなる開口部を形成してこれを維持する。よって、開口部から衣服を出し入れする際に、一方の手で開口部を拡開させて開口面積を大きくする必要はなく、両方の手を使用して容易に衣服の出し入れ作業を行うことができる。また、形成された開口部はスリット状に復帰してしまうことなく、拡開して大きな開口面積を維持することから、狭幅なスリット状の開口部から手を差し込んでの作業を強いられることもなく、大きな開口面積からなる開口部を介して両手作業を容易に行うことができる。さらに、ハンガーロッドに係止して配置するタイプの防虫剤を使用する場合、防虫剤の配置及び取り替え作業も容易となる。
【００３９】
また、横延在部が、前上面部のコーナー部よりも上部において該前上面部を横断するように設けられ、縦延在部が、前記前上面部及び前面部の縁部と前記左又は右側面部の縁部との接合部に沿って設けられていることにより、スライドファスナーを開けると、前上面部のコーナー部よりも上部から下方に亘って開口部を形成することができる。したがって、ハンガーロッドに係止されているハンガーの先端部が開口部に位置することとなり、ズボン等が掛けられているハンガーの先端部や、ハンガーの先端部が内側に位置する上着の肩部等に手を掛けて操作し、ハンガーに掛けられている衣服の向きを容易に変えることができる。これにより、ハンガーロッドに係止された複数の各ハンガーに掛けられている衣服から、着用しようとする衣服を選択する作業を容易に行うことができる。
【図面の簡単な説明】
【図１】本発明の一実施の形態を示す斜視図である。
【図２】同正面図である。
【図３】同平面図である。
【図４】同右側面図である。
【図５】図４のＡ−Ａ端面部である。
【図６】使用状態を示す斜視図である。
【図７】従来技術を示す斜視図である。
【符号の説明】
１    衣服収納具
２    前上面部
３    後上面部
４    コーナー部
６    前面部
７    後面部
８    左側面部
９    右側面部
１０    底面部
１１    係着部
１２    係着部
１３    孔
１４    窓部
１５    スライドファスナー
１４１    上窓部
１４２    下窓部
１５１    横延在部
１５２    縦延在部
Ｒ    ハンガーロッド
【図１】
2004173883.tif 000003
【図２】
2004173883.tif 000004
【図３】
2004173883.tif 000005
【図４】
2004173883.tif 000006
【図５】
2004173883.tif 000007
【図６】
2004173883.tif 000008
【図７】
2004173883.tif 000009